Podtech/llm-jp-corpus-v4-ja_patent huggingface dataset:
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
識別情報の変動表示を実行可能な変動表示手段と、
識別情報の変動表示の表示結果が特定表示結果となることに基づいて、所定の遊技利益が付与され得る特別遊技を実行可能な特別遊技実行手段と、
所定の演出を実行可能な演出実行手段と、
所定の画像を表示可能な画像表示装置と、を備えた遊技機であって、
前記特別遊技として複数種の特別遊技を有し、
前記特別遊技実行手段は、前記特別遊技を実行する場合、前記複数種の特別遊技のうちの何れかを実行するものであり、
前記画像表示装置の表示画面には、前記識別情報の変動表示と同期して変動表示可能な演出図柄が表示され、
前記演出実行手段は、
前記演出図柄の変動表示が実行されるときの演出モードとして特定演出モードを設定可能であり、
前記特定演出モードを設定すると、前記表示画面に所定のキャラクタを表示し、
前記特定演出モードでは、前記キャラクタを表示した状態で前記演出図柄の変動表示を実行し、
前記特定演出モードにて前記識別情報の変動表示の表示結果が特定表示結果となって前記特別遊技が実行される場合、その実行される前記特別遊技の種類によって、当該変動表示に同期する前記演出図柄の変動表示中に前記キャラクタによるキャラクタ演出を前記表示画面で実行する場合と、当該変動表示に同期する前記演出図柄の変動表示の終了に続く前記特別遊技中に前記キャラクタによるキャラクタ演出を前記表示画面で実行する場合とがある
ことを特徴とする遊技機。
【請求項２】
前記特別遊技には、少なくとも第１特別遊技と第２特別遊技とがあり、
前記第１特別遊技と前記第２特別遊技とでは、付与され得る前記遊技利益の量が異なるものとされており、
前記演出実行手段は、
前記特定演出モードにて前記識別情報の変動表示の表示結果が特定表示結果となって前記第１特別遊技が実行される場合、当該変動表示に同期する前記演出図柄の変動表示中に前記キャラクタによるキャラクタ演出を前記表示画面で実行し、
前記特定演出モードにて、前記識別情報の変動表示の表示結果が特定表示結果となって前記第２特別遊技が実行される場合、当該変動表示に同期する前記演出図柄の変動表示の終了に続く前記第２特別遊技中に前記キャラクタによるキャラクタ演出を前記表示画面で実行する
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
識別情報の変動表示を実行可能な変動表示手段と、
識別情報の変動表示の表示結果が特定表示結果となることに基づいて、所定の遊技利益が付与され得る特別遊技を実行可能な特別遊技実行手段と、
所定の演出を実行可能な演出実行手段と、
所定の画像を表示可能な画像表示装置と、を備えた遊技機であって、
前記特別遊技として複数種の特別遊技を有し、
前記特別遊技実行手段は、前記特別遊技を実行する場合、前記複数種の特別遊技のうちの何れかを実行するものであり、
前記画像表示装置の表示画面には、前記識別情報の変動表示と同期して変動表示可能な演出図柄が表示され、
前記演出実行手段は、
前記演出図柄の変動表示が実行されるときの演出モードとして特定演出モードを設定可能であり、
前記特定演出モードを設定すると、前記表示画面に所定のキャラクタを表示し、
前記特定演出モードでは、前記キャラクタを表示した状態で前記演出図柄の変動表示を実行し、
前記特定演出モードにて前記識別情報の変動表示の表示結果が特定表示結果となって前記特別遊技が実行される場合、その実行される前記特別遊技の種類によって、当該変動表示に同期する前記演出図柄の変動表示中に前記キャラクタによるキャラクタ演出を前記表示画面で実行する場合と、当該変動表示に同期する前記演出図柄の変動表示の終了に続く前記特別遊技中に前記キャラクタによるキャラクタ演出を前記表示画面で実行する場合とがある
ことを要旨とする。
（２）手段２の遊技機は、手段１の遊技機において、
前記特別遊技には、少なくとも第１特別遊技と第２特別遊技とがあり、
前記第１特別遊技と前記第２特別遊技とでは、付与され得る前記遊技利益の量が異なるものとされており、
前記演出実行手段は、
前記特定演出モードにて前記識別情報の変動表示の表示結果が特定表示結果となって前記第１特別遊技が実行される場合、当該変動表示に同期する前記演出図柄の変動表示中に前記キャラクタによるキャラクタ演出を前記表示画面で実行し、
前記特定演出モードにて、前記識別情報の変動表示の表示結果が特定表示結果となって前記第２特別遊技が実行される場合、当該変動表示に同期する前記演出図柄の変動表示の終了に続く前記第２特別遊技中に前記キャラクタによるキャラクタ演出を前記表示画面で実行する
ことを要旨とする。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
識別情報の変動表示を実行可能な変動表示手段と、
識別情報の変動表示の表示結果が特定表示結果となることに基づいて、所定の遊技利益が付与され得る特別遊技を実行可能な特別遊技実行手段と、
演出を実行可能な演出実行手段と、
所定の画像を表示可能な画像表示装置と、を備えた遊技機であって、
前記特別遊技実行手段は、前記特別遊技として第１特別遊技を実行する場合と第２特別遊技を実行する場合とがあり、
前記画像表示装置の表示画面には、前記識別情報の変動表示と同期して変動表示可能な演出図柄が表示され、
前記演出実行手段は、
前記演出図柄の変動表示が実行されるときの演出モードとして特定演出モードを設定可能であり、
前記特定演出モードを設定すると、前記表示画面に所定のキャラクタを表示し、
前記特定演出モードでは、前記キャラクタを表示した状態で前記演出図柄の変動表示を実行するとともに、前記演出図柄の変動表示を実行しないときにも前記キャラクタを表示し、
前記特定演出モードにて、前記識別情報の変動表示の表示結果が特定表示結果となって前記第１特別遊技が実行される場合、当該変動表示に同期する前記演出図柄の変動表示中に前記キャラクタによるキャラクタ演出を前記表示画面で実行し、
前記特定演出モードにて、前記識別情報の変動表示の表示結果が特定表示結果となって前記第２特別遊技が実行される場合、当該変動表示に同期する前記演出図柄の変動表示の終了に続く前記第２特別遊技中に前記キャラクタによるキャラクタ演出を前記表示画面で実行する
ことを特徴とする遊技機。
【手続補正２】
【補正対象書類名】明細書
【補正対象項目名】０００２
【補正方法】変更
【補正の内容】
【０００２】
従来、所定条件の成立に基づいて識別情報の変動表示を行い、当該変動表示の表示結果が特定表示結果になると、遊技者に所定の利益が付与され得る特別遊技が実行可能となる遊技機が広く知られている。この種の遊技機では、識別情報の変動表示や特別遊技等の遊技の進行に伴って様々な演出を行うのが一般的である。このような遊技機において、識別情報の変動表示の表示結果が特定表示結果となるか否かを示す演出（リーチ演出等）を、所定のキャラクタによるキャラクタ演出として行うものがある（例えば特許文献１を参照）。
【手続補正３】
【補正対象書類名】明細書
【補正対象項目名】０００３
【補正方法】変更
【補正の内容】
【０００３】
【特許文献１】特開２０１６−１５４６５７号公報
【手続補正４】
【補正対象書類名】明細書
【補正対象項目名】０００４
【補正方法】変更
【補正の内容】
【０００４】
しかしながら、リーチ演出等でキャラクタ演出を行う構成は既に多くの遊技機に採用されており、その実行態様も画一的となっている。このため、遊技興趣を高めることが難しくなってきている。
【手続補正５】
【補正対象書類名】明細書
【補正対象項目名】０００５
【補正方法】変更
【補正の内容】
【０００５】
本発明は、上記事情に鑑みてなされたものであり、その目的とするところは、キャラクタ演出の実行態様に特徴を持たせて、キャラクタ演出を備えた遊技機の遊技興趣の向上を図ることにある。
【手続補正６】
【補正対象書類名】明細書
【補正対象項目名】０００６
【補正方法】変更
【補正の内容】
【０００６】
前述の課題を解決するために、本発明は以下の構成を採用した。
すなわち、本発明の遊技機は、
識別情報の変動表示を実行可能な変動表示手段と、
識別情報の変動表示の表示結果が特定表示結果となることに基づいて、所定の遊技利益が付与され得る特別遊技を実行可能な特別遊技実行手段と、
演出を実行可能な演出実行手段と、
所定の画像を表示可能な画像表示装置と、を備えた遊技機であって、
前記特別遊技実行手段は、前記特別遊技として第１特別遊技を実行する場合と第２特別遊技を実行する場合とがあり、
前記画像表示装置の表示画面には、前記識別情報の変動表示と同期して変動表示可能な演出図柄が表示され、
前記演出実行手段は、
前記演出図柄の変動表示が実行されるときの演出モードとして特定演出モードを設定可能であり、
前記特定演出モードを設定すると、前記表示画面に所定のキャラクタを表示し、
前記特定演出モードでは、前記キャラクタを表示した状態で前記演出図柄の変動表示を実行するとともに、前記演出図柄の変動表示を実行しないときにも前記キャラクタを表示し、
前記特定演出モードにて、前記識別情報の変動表示の表示結果が特定表示結果となって前記第１特別遊技が実行される場合、当該変動表示に同期する前記演出図柄の変動表示中に前記キャラクタによるキャラクタ演出を前記表示画面で実行し、
前記特定演出モードにて、前記識別情報の変動表示の表示結果が特定表示結果となって前記第２特別遊技が実行される場合、当該変動表示に同期する前記演出図柄の変動表示の終了に続く前記第２特別遊技中に前記キャラクタによるキャラクタ演出を前記表示画面で実行する
ことを要旨とする。
【手続補正７】
【補正対象書類名】明細書
【補正対象項目名】０００７
【補正方法】変更
【補正の内容】
【０００７】
以上の本発明によれば、キャラクタ演出の実行態様に特徴を持たせて、キャラクタ演出を備えた遊技機の遊技興趣の向上を図ることが可能となる。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、変動表示を停止したときの識別情報の表示態様により変動表示の結果を報知することが可能とされた遊技機であって、
識別情報の変動表示を実行可能な変動表示手段と、
前記識別情報の変動表示が実行されるときの遊技状態を制御可能な状態制御手段と、を備え、
前記遊技状態には、少なくとも第１遊技状態と第２遊技状態とがあり、
前記識別情報は複数の図柄で構成され、
前記識別情報を構成する図柄の種類として、少なくとも、第１図柄種と第２図柄種とを有し、
前記第１遊技状態と前記第２遊技状態の双方で、前記第１図柄種の図柄と前記第２図柄種の図柄を表示可能であり、
前記第１遊技状態にて前記第１図柄種に含まれる図柄の少なくとも一部が、前記第２遊技状態にて前記第２図柄種とされる
ことを特徴とする遊技機。
【請求項２】
前記変動表示を停止したときの前記識別情報の表示態様として、少なくとも、所定の特別遊技の実行契機となる特定表示態様と、前記特定表示態様以外の表示態様と、を有し、
前記第２遊技状態は、前記第１遊技状態に比して前記特別遊技の実行可能性が高い遊技状態であり、
前記特定表示態様は前記第２図柄種の図柄で構成される
ことを特徴とする請求項１に記載の遊技機。
【請求項３】
前記第２図柄種の図柄で構成される前記特定表示態様は、前記第１遊技状態では表示されずに前記第２遊技状態で表示される
ことを特徴とする請求項２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、変動表示を停止したときの識別情報の表示態様により変動表示の結果を報知することが可能とされた遊技機であって、
識別情報の変動表示を実行可能な変動表示手段と、
前記識別情報の変動表示が実行されるときの遊技状態を制御可能な状態制御手段と、を備え、
前記遊技状態には、少なくとも第１遊技状態と第２遊技状態とがあり、
前記識別情報は複数の図柄で構成され、
前記識別情報を構成する図柄の種類として、少なくとも、第１図柄種と第２図柄種とを有し、
前記第１遊技状態と前記第２遊技状態の双方で、前記第１図柄種の図柄と前記第２図柄種の図柄を表示可能であり、
前記第１遊技状態にて前記第１図柄種に含まれる図柄の少なくとも一部が、前記第２遊技状態にて前記第２図柄種とされる
ことを要旨とする。
（２）手段２の遊技機は、手段１の遊技機において、
前記変動表示を停止したときの前記識別情報の表示態様として、少なくとも、所定の特別遊技の実行契機となる特定表示態様と、前記特定表示態様以外の表示態様と、を有し、
前記第２遊技状態は、前記第１遊技状態に比して前記特別遊技の実行可能性が高い遊技状態であり、
前記特定表示態様は前記第２図柄種の図柄で構成される
ことを要旨とする。
（３）手段３の遊技機は、手段２の遊技機において、
前記第２図柄種の図柄で構成される前記特定表示態様は、前記第１遊技状態では表示されずに前記第２遊技状態で表示される
ことを要旨とする。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
遊技球が入球不能な状態と入球可能な状態とに変化可能な可変入球口と、
前記可変入球口への入球に基づいて所定の利益を付与可能な利益付与手段と、
前記利益付与手段により利益が付与される場合の獲得利益量を表示する利益演出を実行可能な利益演出実行手段と、
遊技状態を制御可能な状態制御手段と、を備え、
前記遊技領域は第１遊技領域と第２遊技領域を含み、
前記可変入球口は、前記第１遊技領域と前記第２遊技領域のうち前記第２遊技領域を流下する遊技球が入球可能であり、
前記状態制御手段は、前記第２遊技領域に遊技球を流下させて遊技を行う特定遊技状態を設定可能であり、
前記利益演出実行手段は、前記特定遊技状態での前記獲得利益量を表示する第１利益演出と、前記特定遊技状態における特定期間での前記獲得利益量を表示する第２利益演出と、を実行可能である
ことを特徴とする遊技機。
【請求項２】
前記第１利益演出は、所定の第１表示部に表示される第１画像により前記獲得利益量を表示する演出であり、
前記第２利益演出は、前記第１表示部とは別の第２表示部に表示される第２画像により前記獲得利益量を表示する演出である
ことを特徴とする請求項１に記載の遊技機。
【請求項３】
前記利益演出実行手段は、前記特定遊技状態中の前記特定期間以外の期間において、前記第２画像を表示せずに前記第１画像を表示して前記第１利益演出を実行する
ことを特徴とする請求項２に記載の遊技機。
【請求項４】
前記利益演出実行手段は、前記特定期間での前記第２利益演出により表示された前記獲得利益量を、前記第１利益演出により表示される前記獲得利益量に加算表示する演出を実行可能である
ことを特徴とする請求項１から３の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
遊技球が流下可能な遊技領域と、
遊技球が入球不能な状態と入球可能な状態とに変化可能な可変入球口と、
前記可変入球口への入球に基づいて所定の利益を付与可能な利益付与手段と、
前記利益付与手段により利益が付与される場合の獲得利益量を表示する利益演出を実行可能な利益演出実行手段と、
遊技状態を制御可能な状態制御手段と、を備え、
前記遊技領域は第１遊技領域と第２遊技領域を含み、
前記可変入球口は、前記第１遊技領域と前記第２遊技領域のうち前記第２遊技領域を流下する遊技球が入球可能であり、
前記状態制御手段は、前記第２遊技領域に遊技球を流下させて遊技を行う特定遊技状態を設定可能であり、
前記利益演出実行手段は、前記特定遊技状態での前記獲得利益量を表示する第１利益演出と、前記特定遊技状態における特定期間での前記獲得利益量を表示する第２利益演出と、を実行可能である
ことを要旨とする。
（２）手段２の遊技機は、手段１の遊技機において、
前記第１利益演出は、所定の第１表示部に表示される第１画像により前記獲得利益量を表示する演出であり、
前記第２利益演出は、前記第１表示部とは別の第２表示部に表示される第２画像により前記獲得利益量を表示する演出である
ことを要旨とする。
（３）手段３の遊技機は、手段２の遊技機において、
前記利益演出実行手段は、前記特定遊技状態中の前記特定期間以外の期間において、前記第２画像を表示せずに前記第１画像を表示して前記第１利益演出を実行する
ことを要旨とする。
（４）手段４の遊技機は、手段１から３の何れか一つの遊技機において、
前記利益演出実行手段は、前記特定期間での前記第２利益演出により表示された前記獲得利益量を、前記第１利益演出により表示される前記獲得利益量に加算表示する演出を実行可能である
ことを要旨とする。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
識別情報の変動表示の表示結果が特定表示結果となることに基づいて特別遊技を実行可能な特別遊技実行手段と、
前記識別情報の変動表示に伴って所定の変動演出を実行可能な変動演出実行手段と、
前記変動演出が実行されるときの演出モードを設定可能な演出モード設定手段と、
前記演出モード設定手段により設定される前記演出モードを、予め定められた複数の演出モードの中から遊技者による操作に基づいて選択可能とする選択期間を発生可能な選択期間発生手段と、を備え、
前記演出モード設定手段は、前記選択期間にて選択された前記演出モードを設定可能であり、
前記特別遊技として、特定の特別遊技を含む複数種の特別遊技を有し、
前記特別遊技実行手段は、前記特別遊技を実行する場合、前記複数種の特別遊技のうちの何れかを実行するものであり、
前記選択期間発生手段は、
前記複数種の特別遊技のうち前記特定の特別遊技以外の特別遊技が実行される場合には、当該特別遊技が終了する際のエンディング期間にて前記選択期間を発生させず、
前記複数種の特別遊技のうち前記特定の特別遊技が実行される場合には、当該特定の特別遊技が終了する際のエンディング期間にて前記選択期間を発生させる
ことを特徴とする遊技機。
【請求項２】
所定の画像を表示可能な表示画面を備え、
前記選択期間発生手段は、前記特定の特別遊技が終了する際のエンディング期間の開始から前記選択期間を発生させるものであり、
前記特定の特別遊技が終了する際のエンディング期間にて発生する前記選択期間は、当該エンディング期間よりも短い期間であって、当該選択期間が終了してから前記エンディング期間が終了するまでの間に、選択済の前記演出モードを示す画像が前記表示画面に表示される
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
識別情報の変動表示の表示結果が特定表示結果となることに基づいて特別遊技を実行可能な特別遊技実行手段と、
前記識別情報の変動表示に伴って所定の変動演出を実行可能な変動演出実行手段と、
前記変動演出が実行されるときの演出モードを設定可能な演出モード設定手段と、
前記演出モード設定手段により設定される前記演出モードを、予め定められた複数の演出モードの中から遊技者による操作に基づいて選択可能とする選択期間を発生可能な選択期間発生手段と、を備え、
前記演出モード設定手段は、前記選択期間にて選択された前記演出モードを設定可能であり、
前記特別遊技として、特定の特別遊技を含む複数種の特別遊技を有し、
前記特別遊技実行手段は、前記特別遊技を実行する場合、前記複数種の特別遊技のうちの何れかを実行するものであり、
前記選択期間発生手段は、
前記複数種の特別遊技のうち前記特定の特別遊技以外の特別遊技が実行される場合には、当該特別遊技が終了する際のエンディング期間にて前記選択期間を発生させず、
前記複数種の特別遊技のうち前記特定の特別遊技が実行される場合には、当該特定の特別遊技が終了する際のエンディング期間にて前記選択期間を発生させる
ことを要旨とする。
（２）手段２の遊技機は、手段１の遊技機において、
所定の画像を表示可能な表示画面を備え、
前記選択期間発生手段は、前記特定の特別遊技が終了する際のエンディング期間の開始から前記選択期間を発生させるものであり、
前記特定の特別遊技が終了する際のエンディング期間にて発生する前記選択期間は、当該エンディング期間よりも短い期間であって、当該選択期間が終了してから前記エンディング期間が終了するまでの間に、選択済の前記演出モードを示す画像が前記表示画面に表示される
ことを要旨とする。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
香料の噴霧出力を制御する制御手段と、
ユーザーの睡眠状態と関連付けて設定された予定時刻と
を備え、
前記制御手段は、前記予定時刻の前後においてユーザーが前記睡眠状態であるべきとして設定された第１の時間帯における最大噴霧出力を、前記予定時刻の前後においてユーザーが前記睡眠状態ではないとして設定された第２の時間帯における最大噴霧出力よりも小さくすることを特徴とする香料噴霧システム。
【請求項２】
前記制御手段は、所定の睡眠状態に適した香料噴霧制御を行う睡眠モードを有し、
前記予定時刻と、前記睡眠モードを開始する睡眠モード開始時刻との差に応じて、香料の噴霧出力を連続的または段階的に変化させる事を特徴とする請求項１に記載の香料噴霧システム。
【請求項３】
前記制御手段は、前記予定時刻との時間差が大きくなるに従って、前記第２の時間帯における噴霧出力が小さくなるように制御することを特徴とする請求項１または２に記載の香料噴霧システム。
【請求項４】
前記制御手段は、前記予定時刻との時間差が大きくなるに従って、前記第１の時間帯における噴霧出力が小さくなるように制御することを特徴とする請求項１から３のいずれか一項に記載の香料噴霧システム。
【請求項５】
前記香料の噴霧出力の連続的または段階的な変化と連動し、
照明の光強度を連続的または段階的に変化させる事を特徴とする請求項２から４のいずれか一項に記載の香料噴霧システム。
【請求項６】
睡眠状態を検出する睡眠センサから取得した睡眠情報を基に、前記香料の噴霧出力を決定する、請求項２から５のいずれか一項に記載の香料噴霧システム。
【請求項７】
前記睡眠モードは入眠モードであり、
前記予定時刻は入眠予定時刻であり、
前記睡眠モード開始時刻は入眠モード開始時刻であり、
前記入眠予定時刻と前記入眠モード開始時刻との差が第１の時間差以上である際に、鎮静系香料を一定時間、前記入眠モードにおける最大出力で噴霧した後、前記鎮静系香料の噴霧出力を、連続的または段階的に減少させて噴霧する減少モードに切り替える事を特徴とする、請求項２に記載の香料噴霧システム。
【請求項８】
前記入眠予定時刻と前記入眠モード開始時刻との差が前記第１の時間差以上であるとき、前記制御手段は、前記入眠予定時刻に到達すると前記減少モードに切り替え、
前記入眠予定時刻と前記入眠モード開始時刻との差が前記第１の時間差未満であるとき、前記入眠予定時刻を超える所定の時間が経過すると、前記制御手段は、前記減少モードに切り替えることを特徴とする請求項７に記載の香料噴霧システム。
【請求項９】
前記睡眠モードは起床モードであり、
前記予定時刻は起床予定時刻であり、
前記睡眠モード開始時刻は起床モード開始時刻であり、
前記起床予定時刻と前記起床モード開始時刻との差が第２の時間差以上である際に、覚醒系香料の噴霧出力を、連続的または段階的に増加させた後、前記覚醒系香料を一定時間、前記起床モードにおける最大出力で噴霧させる事を特徴とする、請求項２に記載の香料噴霧システム。
【請求項１０】
前記起床予定時刻と前記起床モード開始時刻との差が前記第２の時間差以上であるとき、前記制御手段は、前記起床予定時刻に到達するまで、前記噴霧出力を連続的または段階的に増加させて噴霧する増加モードで動作し、
前記起床予定時刻と前記起床モード開始時刻との差が前記第２の時間差未満であるとき、前記起床予定時刻を超える所定の時間が経過する前に、前記制御手段は、前記増加モードから前記起床モードにおける最大出力に切り替えることを特徴とする請求項９に記載の香料噴霧システム。
【請求項１１】
香料の噴霧出力を制御する制御手段と、
ユーザーの睡眠状態と関連付けて設定された予定時刻と
を備え、
前記制御手段は、前記予定時刻の前後においてユーザーが前記睡眠状態であるべきとして設定された第１の時間帯の噴霧出力における駆動音量が、ユーザーの睡眠を妨げない程度に小さくなるように前記噴霧出力を制御することを特徴とする香料噴霧システム。
【請求項１２】
前記制御手段は、
前記予定時刻から時間間隔が空くほど、前記噴霧出力が小さくなるように制御することを特徴とする請求項１１に記載の香料噴霧システム。
【請求項１３】
前記制御手段は、
前記予定時刻の前後においてユーザーが前記睡眠状態ではないとして設定された第２の時間帯の噴霧出力が、前記予定時刻から時間間隔が空くほど、前記噴霧出力が大きくなるように制御することを特徴とする請求項１１または１２に記載の香料噴霧システム。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
エラストマー組成物と、導電性フィラーと、溶剤と、を含むものであり、伸縮性配線基板を構成する配線を形成するために用いられる、導電性ペーストであって、
前記導電性フィラーは、鱗片状の金属粉（Ｇ）を含み、
前記鱗片状の金属粉（Ｇ）の、タップ密度が２．８０ｇ／ｃｍ３以上４．５０ｇ／ｃｍ３以下であり、平均粒径Ｄ５０が２．３０μｍ以上１４．０μｍ以下であり、および比表面積が２．００ｍ２／ｇ以下である、導電性ペースト。
【請求項２】
請求項１に記載の導電性ペーストであって、
前記導電性フィラーは、比表面積が０．５０ｍ２／ｇ以上であり、平均粒径Ｄ５０が２．３０μｍ以上１０．０μｍ以下である鱗片状の金属粉（Ｇ）を含む、導電性ペースト。
【請求項３】
請求項１または２に記載の導電性ペーストであって、
前記導電性フィラーの含有量が、当該導電性ペースト全体に対して、３０質量％以上８５質量％以下である、導電性ペースト。
【請求項４】
請求項１から３のいずれか１項に記載の導電性ペーストであって、
前記エラストマー組成物が、シリコーンゴム、ウレタンゴム、フッ素ゴムからなる群から選択される一種以上のエラストマーを形成するための熱硬化性エラストマー組成物を含む、導電性ペースト。
【請求項５】
請求項１から４のいずれか１項に記載の導電性ペーストであって、
前記エラストマー組成物が、シリカ粒子（Ｃ）を含有する、導電性ペースト。
【請求項６】
請求項５に記載の導電性ペーストであって、
前記シリカ粒子（Ｃ）の含有量が、前記シリカ粒子（Ｃ）および前記導電性フィラーの合計量１００質量％に対して、１質量％以上２０質量％以下である、導電性ペースト。
【請求項７】
請求項１から６のいずれか１項に記載の導電性ペーストであって、
前記エラストマー組成物が、シリコーンゴム系硬化性組成物を含む、導電性ペースト。
【請求項８】
請求項７に記載の導電性ペーストであって、
前記シリコーンゴム系硬化性組成物が、ビニル基含有オルガノポリシロキサン（Ａ）を含む、導電性ペースト。
【請求項９】
請求項７または８に記載の導電性ペーストであって、
前記シリコーンゴム系硬化性組成物が、オルガノハイドロジェンポリシロキサン（Ｂ）をさらに含む、導電性ペースト。
【請求項１０】
請求項７から９のいずれか１項に記載の導電性ペーストであって、
前記シリコーンゴム系硬化性組成物が、白金又は白金化合物（Ｅ）をさらに含む、導電性ペースト。
【請求項１１】
請求項１から１０のいずれか１項に記載の導電性ペーストであって、
前記エラストマー組成物の含有量が、当該導電性ペースト全体に対して、１質量％以上２５質量％以下である、導電性ペースト。
【請求項１２】
基板と配線とを備えており、前記配線が請求項１から１１のいずれか１項に記載の導電性ペーストのエラストマーで構成される、伸縮性配線基板。
【手続補正２】
【補正対象書類名】明細書
【補正対象項目名】０００６
【補正方法】変更
【補正の内容】
【０００６】
本発明によれば、
エラストマー組成物と、導電性フィラーと、溶剤と、を含むものであり、伸縮性配線基板を構成する配線を形成するために用いられる、導電性ペーストであって、
前記導電性フィラーは、鱗片状の金属粉（Ｇ）を含み、
前記鱗片状の金属粉（Ｇ）の、タップ密度が２．８０ｇ／ｃｍ３以上４．５０ｇ／ｃｍ３以下であり、平均粒径Ｄ５０が２．３０μｍ以上１４．０μｍ以下であり、および比表面積が２．００ｍ２／ｇ以下である、導電性ペーストが提供される。
【手続補正書】
【提出日】令和3年4月8日(2021.4.8)
【手続補正１】
【補正対象書類名】明細書
【補正対象項目名】０１０５
【補正方法】変更
【補正の内容】
【０１０５】
まず、図１３、図１９及び図２０を参照して、第１コネクタ５００Ａの第１絶縁体６００Ａの島状部収容部６４０と第２コネクタ１００の第２絶縁体２００の島状部２４０とが上下方向において対向するように、第１コネクタ５００Ａ及び第２コネクタ１００を位置決めする。このとき、第１コネクタ５００Ａの第１金属部材７００Ａの第１金属平面７１０と第２コネクタ１００の第２金属部材３００の第２金属平面３１０とは、上下方向において対向している。
【手続補正２】
【補正対象書類名】明細書
【補正対象項目名】０１０６
【補正方法】変更
【補正の内容】
【０１０６】
上記位置決めの後、第１コネクタ５００Ａと第２コネクタ１００とを上下方向において互いに近づけるように移動させて、第１コネクタ５００Ａを、上下方向において第２コネクタ１００に部分的に挿入する。このとき、第１コネクタ５００Ａの第１絶縁体６００Ａの第１周壁部６２０Ａは、第２コネクタ１００の第１周壁部収容部２３８に部分的に収容され、第２コネクタ１００の第２絶縁体２００の島状部２４０は、第１コネクタ５００Ａの第１絶縁体６００Ａの島状部収容部６４０に部分的に収容される。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
互いに積層された複数のバイポーラ電極を含む電極積層体と、
前記電極積層体に設けられた複数の内部空間に配置された電解液と、
前記電極積層体を取り囲むように配置され、前記複数の内部空間のそれぞれに連通された複数の第１連通孔を有する枠体と、
前記枠体に設けられ、前記複数の第１連通孔とそれぞれ連通された複数の第２連通孔を有する圧力調整弁と、
を備え、
前記枠体における前記圧力調整弁の側の第１面には、前記第１連通孔が開口しており、
前記圧力調整弁における前記枠体の側の第２面には、前記第２連通孔が開口しており、
前記第２面における前記第２連通孔の開口は、前記第１面における前記第１連通孔の開口よりも鉛直上方に配置されており、
前記第１面に交差する第１方向からみて、前記第２面における前記第２連通孔の開口は、前記第１面における前記第１連通孔の開口と重複していない、
蓄電モジュール。
【請求項２】
前記枠体は、それぞれの前記バイポーラ電極の周縁部に設けられた複数の第１部分と、前記電極積層体及び前記第１部分を取り囲むように設けられた枠状の第２部分と、を含み、
前記第１部分は、前記第１面を含み、
前記第２部分は、前記複数の第１連通孔に連通された複数の第３連通孔を有し、
前記第２部分における前記圧力調整弁の側の第３面には、前記第３連通孔が開口し、
前記第２連通孔は、前記第３連通孔を介して前記第１連通孔に連通されている、
請求項１に記載の蓄電モジュール。
【請求項３】
前記第２面における前記第２連通孔の開口は、前記第３面における前記第３連通孔の開口よりも鉛直上方に配置されており、
前記第１方向からみて、前記第２面における前記第２連通孔の開口は、前記第３面における前記第３連通孔の開口と重複していない、
請求項２に記載の蓄電モジュール。
【請求項４】
前記第２面及び前記第３面のうちの一方の面には、前記枠体と前記圧力調整弁とを互いに接合するための第１接合用突起が形成されており、
前記第１接合用突起の接合用の第１端面は、前記一方の面に対して傾斜している、
請求項２又は３に記載の蓄電モジュール。
【請求項５】
前記第２面及び前記第３面のうちの他方の面には、前記枠体と前記圧力調整弁とを互いに接合するための第２接合用突起が設けられおり、
前記第２接合用突起の接合用の第２端面は、前記他方の面に対して傾斜しており、
前記第１端面の傾斜角と前記第２端面の傾斜角とは、前記第１端面と前記第２端面とを互いに接合したときに、前記第２面と前記第３面との角度が、前記第１端面の傾斜角及び前記第２端面の傾斜角のそれぞれよりも大きくなるように設定されている、
請求項４に記載の蓄電モジュール。
【請求項６】
互いに積層された複数のバイポーラ電極を含む電極積層体と、前記電極積層体に設けられた複数の内部空間に配置された電解液と、前記電極積層体を取り囲むように配置され、前記複数の内部空間のそれぞれに連通された複数の第１連通孔を有する枠体と、を有するモジュール本体を用意する第１工程と、
複数の第２連通孔を有する圧力調整弁を用意する第２工程と、
前記第１工程及び前記第２工程の後に、前記第１連通孔のそれぞれと前記第２連通孔のそれぞれとが互いに連通するように、前記枠体に前記圧力調整弁を接合する第３工程と、
を備え、
前記枠体及び前記圧力調整弁のうちの少なくとも一方には、前記枠体と前記圧力調整弁とを互いに接続するための接合用突起が形成されており、
前記第３工程においては、前記接合用突起の傾斜した端面を用いて、前記圧力調整弁における前記第２連通孔の開口が前記枠体における前記第１連通孔の開口よりも上方に配置され重複しないように、前記枠体と前記圧力調整弁とを互いに接合する、
蓄電モジュール製造方法。
【請求項７】
互いに積層された複数のバイポーラ電極を含む電極積層体と、
前記電極積層体に設けられた複数の内部空間に配置された電解液と、
前記電極積層体を取り囲むように配置され、前記複数の内部空間のそれぞれに連通された複数の第１連通孔を有する枠体と、
前記枠体に設けられ、前記複数の第１連通孔とそれぞれ連通された複数の第２連通孔を有する圧力調整弁と、
を備え、
前記枠体における前記圧力調整弁の側の第１面には、前記第１連通孔が開口しており、
前記圧力調整弁における前記枠体の側の第２面には、前記第２連通孔が開口しており、
前記第２面における前記第２連通孔の開口は、前記第１面における前記電解液の液面の位置よりも鉛直上方に配置されており、
前記第１面に交差する第１方向からみて、前記第２面における前記第２連通孔の開口は、前記第１面における前記電解液の液面の位置に重複していない、
蓄電モジュール。
【手続補正書】
【提出日】令和3年3月3日(2021.3.3)
【手続補正１】
【補正対象書類名】明細書
【補正対象項目名】０００８
【補正方法】変更
【補正の内容】
【０００８】
（１）本発明の一態様に係る電磁継電器は、固定接点と、可動接触片と、駆動軸と、電磁駆動装置と、位置決め部と、を備える。可動接触片は、固定接点に対向して配置された可動接点を含み、固定接点に接触する第１方向及び固定接点から開離する第２方向に移動可能である。駆動軸は、可動接触片に連結され可動接触片とともに第１方向及び第２方向に移動可能である。電磁駆動装置は、駆動軸に一体移動可能に連結された可動鉄心を含み、可動鉄心とともに駆動軸を移動させ、可動接点が固定接点に接触する接触状態と、可動接点が固定接点から開離する開離状態と、に切り替える。位置決め部は、開離状態において、駆動軸及び可動鉄心のいずれか一方を位置決めする。駆動軸又は可動鉄心のいずれか一方は、開離状態において、位置決め部に接触する第１傾斜部を含む。
【手続補正書】
【提出日】令和3年8月23日(2021.8.23)
【手続補正１】
【補正対象書類名】明細書
【補正対象項目名】発明の名称
【補正方法】変更
【補正の内容】
【発明の名称】原稿読取装置
【手続補正２】
【補正対象書類名】明細書
【補正対象項目名】０００１
【補正方法】変更
【補正の内容】
【０００１】
本発明は、原稿の画像を読み取る原稿読取装置に関する。
【手続補正３】
【補正対象書類名】明細書
【補正対象項目名】０００６
【補正方法】変更
【補正の内容】
【０００６】
本発明の目的は、原稿の読み取り位置と異なる位置の白基準板の読み取り結果に基づいてシェーディング補正を行う際に、異物の影響を抑制する原稿読取装置を提供することにある。
【手続補正４】
【補正対象書類名】明細書
【補正対象項目名】０００７
【補正方法】変更
【補正の内容】
【０００７】
上記目的を達成するために、本発明の原稿読取装置は、原稿が載置される原稿載置部と、原稿台ガラスと、前記原稿載置部に載置された原稿を前記原稿台ガラスに搬送する搬送手段と、前記搬送手段によって搬送されている原稿を読み取る読取手段と、前記原稿台ガラスの原稿が搬送される側と反対側に設けられた基準板と、補正データを格納する格納手段と、前記読取手段が前記搬送手段によって搬送されている原稿を読み取って得られた画像データに対して、シェーディングデータを用いてシェーディング補正を行うシェーディング補正手段と、前記補正データおよび前記シェーディングデータを演算する演算手段と、を有し、前記演算手段は、前記読取手段が前記基準板を読み取って得られたデータと、前記補正データとからシェーディングデータを演算し、前記読取手段が前記基準板を読み取って得られたデータと、前記原稿台ガラスの原稿が搬送される側に設置された基準部材を読み取って得られたデータとに基づき、複数の画素位置のそれぞれに対応する複数の比率を求め、前記複数の比率から特異点である画素位置を検出し、注目画素位置および該注目画素位置の周囲画素位置における、前記検出された特異点である画素位置の有無を判定し、前記特異点である画素位置の有無の判定の結果に基づき、前記注目画素位置および該注目画素位置の周囲画素位置に対応する各比率から前記補正データを求め、前記補正データを求める際に前記特異点である画素位置に対応する比率を使用しないように、前記判定において前記検出された特異点である画素位置が有ると判定された場合に前記補正データを求める際に使用される各比率の数は、前記判定において前記検出された特異点である画素位置が無いと判定された場合に前記補正データを求める際に使用される各比率の数より少ないことを特徴とする。
【手続補正５】
【補正対象書類名】特許請求の範囲
【補正対象項目名】全文
【補正方法】変更
【補正の内容】
【特許請求の範囲】
【請求項１】
原稿が載置される原稿載置部と、
原稿台ガラスと、
前記原稿載置部に載置された原稿を前記原稿台ガラスに搬送する搬送手段と、
前記搬送手段によって搬送されている原稿を読み取る読取手段と、 
前記原稿台ガラスの原稿が搬送される側と反対側に設けられた基準板と、 
補正データを格納する格納手段と、
前記読取手段が前記搬送手段によって搬送されている原稿を読み取って得られた画像データに対して、シェーディングデータを用いてシェーディング補正を行うシェーディング補正手段と、
前記補正データおよび前記シェーディングデータを演算する演算手段と、を有し、
前記演算手段は、
前記読取手段が前記基準板を読み取って得られたデータと、前記補正データとからシェーディングデータを演算し、
前記読取手段が前記基準板を読み取って得られたデータと、前記原稿台ガラスの原稿が搬送される側に設置された基準部材を読み取って得られたデータとに基づき、複数の画素位置のそれぞれに対応する複数の比率を求め、
前記複数の比率から特異点である画素位置を検出し、
注目画素位置および該注目画素位置の周囲画素位置における、前記検出された特異点である画素位置の有無を判定し、
前記特異点である画素位置の有無の判定の結果に基づき、前記注目画素位置および該注目画素位置の周囲画素位置に対応する各比率から前記補正データを求め、
前記補正データを求める際に前記特異点である画素位置に対応する比率を使用しないように、前記判定において前記検出された特異点である画素位置が有ると判定された場合に前記補正データを求める際に使用される各比率の数は、前記判定において前記検出された特異点である画素位置が無いと判定された場合に前記補正データを求める際に使用される各比率の数より少ないことを特徴とする原稿読取装置。
【請求項２】
前記演算手段は、
前記判定において前記検出された特異点である画素位置が有ると判定された場合、前記注目画素位置および該注目画素位置の周囲画素位置に対応する各比率における最大値を有する比率および最小値を有する比率を使用せずに、前記補正データを求めること、を特徴とする請求項１記載の原稿読取装置。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
二次元状に配置された複数の画素を含み画素信号を形成する受光部と、前記画素信号をＡ／Ｄ変換するＡ／Ｄ変換部と、前記Ａ／Ｄ変換部の出力を、所定の画素ブロック単位で圧縮して圧縮データを出力する圧縮部と、
を備える撮像素子と、
前記撮像素子の前記圧縮部から出力された１フレーム分の前記圧縮データを前記所定の画素ブロック単位で間引き処理する第１のデータ加工手段と、
前記第１のデータ加工手段により間引き処理された圧縮データを伸長処理する第１のデータ伸長手段と、
前記第１のデータ伸長手段によって伸長処理された画像データに対して所定の処理をする第１の画像処理手段と、
を有することを特徴とする撮像装置。
【請求項２】
前記撮像素子の前記圧縮部で前記所定の画素ブロック単位ごとに圧縮された前記圧縮データを更にフレーム単位で間引き処理する第２のデータ加工手段を有することを特徴とする請求項１に記載の撮像装置。
【請求項３】
前記第２のデータ加工手段によってフレーム単位で間引き処理されたデータを伸長処理する第２のデータ伸長手段を有することを特徴とする請求項２に記載の撮像装置。
【請求項４】
前記第２のデータ伸長手段からの出力に対して所定の処理をする第２の画像処理手段を有することを特徴とする請求項３に記載の撮像装置。
【請求項５】
前記第２の画像処理手段の出力を動画として記録する記録手段を有することを特徴とする請求項４に記載の撮像装置。
【請求項６】
前記第１の画像処理手段からの前記所定の画素ブロックのデータを逐次表示する表示手段を有し、前記表示手段は、前記第１の画像処理手段からの前記所定の画素ブロック単位のデータをリアルタイム表示することを特徴とする請求項１から請求項５のうちいずれか１項に記載の撮像装置。
【請求項７】
前記第１の画像処理手段の出力を用いてリアルタイムにデフォーカス量を演算するためのデフォーカス量演算手段を有することを特徴とする請求項１から請求項６のうちいずれか１項に記載の撮像装置。
【請求項８】
前記撮像素子から出力された前記圧縮データを一時的に保持するデータ保持手段を有することを特徴とする請求項１から請求項７のうちいずれか１項に記載の撮像装置。
【請求項９】
前記圧縮部は、前記Ａ／Ｄ変換部の出力を、前記所定の画素ブロック単位で不可逆圧縮するものであることを特徴とする請求項１から請求項８のうちいずれか１項に記載の撮像装置。
【請求項１０】
前記圧縮部は、前記Ａ／Ｄ変換部の出力をＤＰＣＭ処理するＤＰＣＭ処理部を有することを特徴とする請求項１から請求項９のうちいずれか１項に記載の撮像装置。
【請求項１１】
前記圧縮部は、前記ＤＰＣＭ処理部の出力を符号化する符号化手段を有することを特徴とする請求項１０に記載の撮像装置。
【請求項１２】
前記圧縮部は、前記符号化手段から出力されたデータの圧縮率を調整する圧縮率調整手段を有することを特徴とする請求項１１に記載の撮像装置。
【請求項１３】
前記圧縮率調整手段は前記圧縮率を所定の圧縮率にするように調整を行うことを特徴とする請求項１２に記載の撮像装置。
【請求項１４】
前記符号化手段はゴロム符号化手段を含むことを特徴とする請求項１１から請求項１３のうちいずれか１項に記載の撮像装置。
【請求項１５】
前記撮像素子は多層構造を形成する複数の基板を有し、
前記受光部と前記圧縮部は別の基板に形成されることを特徴とする請求項１から請求項１４のうちいずれか１項に記載の撮像装置。
【手続補正２】
【補正対象書類名】明細書
【補正対象項目名】０００７
【補正方法】変更
【補正の内容】
【０００７】
上記目的を達成するために、本発明の撮像装置は、二次元状に配置された複数の画素を含み画素信号を形成する受光部と、前記画素信号をＡ／Ｄ変換するＡ／Ｄ変換部と、前記Ａ／Ｄ変換部の出力を、所定の画素ブロック単位で圧縮して圧縮データを出力する圧縮部と、
を備える撮像素子と、
前記撮像素子の前記圧縮部から出力された１フレーム分の前記圧縮データを前記所定の画素ブロック単位で間引き処理する第１のデータ加工手段と、
前記第１のデータ加工手段により間引き処理された圧縮データを伸長処理する第１のデータ伸長手段と、
前記第１のデータ伸長手段によって伸長処理された画像データに対して所定の処理をする第１の画像処理手段と、
を有することを特徴とする。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
他の装置からパケットを受信する受信手段と、
前記受信手段により所定の数のパケットが受信されたことに基づき、前記他の装置へ確認応答を送信する送信手段と、
前記受信手段によりパケットが連続して受信されているか否かを判定する判定手段と、
パケットが連続して受信されていると判定された場合の方が、パケットが連続して受信されていると判定されなかった場合より前記所定の数が大きくなるように前記所定の数を設定する設定手段と、
を備えることを特徴とする通信装置。
【請求項２】
前記設定手段は、パケットが連続して受信されていると判定された場合に、前記所定の数を変更する、
ことを特徴とする請求項１に記載の通信装置。
【請求項３】
前記設定手段は、パケットが連続して受信されていないと判定された場合に、前記所定の数を変更する、
ことを特徴とする請求項１または２に記載の通信装置。
【請求項４】
前記判定手段は、所定の時間内に受信されるパケットの数をカウントし、カウントされたパケットの数が閾値以上である場合に、パケットが連続して受信されていると判定する、
ことを特徴とする請求項１から３のいずれか１項に記載の通信装置。
【請求項５】
前記判定手段は、受信されたパケットごとにシーケンス番号およびペイロード長を取得し、前回受信されたパケットのシーケンス番号にペイロード長を加算した値が今回受信されたパケットのシーケンス番号と一致する場合に、今回受信された当該パケットの数をカウントする、
ことを特徴とする請求項４に記載の通信装置。
【請求項６】
パケットを送信して当該パケットの往復遅延時間を計測する計測手段をさらに備え、
前記判定手段は、前記計測手段により計測された前記往復遅延時間が所定の閾値未満である間に受信されたパケットの数をカウントする、
ことを特徴とする請求項４に記載の通信装置。
【請求項７】
前記他の通信装置の輻輳ウインドウサイズを算出する算出手段をさらに備え、
前記判定手段は、前記算出手段により算出された前記他の通信装置の前記輻輳ウインドウサイズが所定の閾値以上である場合に、パケットが連続して受信されていると判定する、
ことを特徴とする請求項１から６のいずれか１項に記載の通信装置。
【請求項８】
前記算出手段は、前記他の通信装置から受信されるパケットを前記通信装置から送信されるパケットとした場合に適用すべき輻輳アルゴリズムに基づいて、前記他の通信の前記輻輳ウインドウサイズを算出する、
ことを特徴とする請求項７に記載の通信装置。
【請求項９】
前記判定手段によるパケットが連続して受信されているか否かの判定結果に基づいて、前記確認応答のタイムアウト時間を変更する変更手段をさらに備える、
ことを特徴とする請求項１から８のいずれか１項に記載の通信装置。
【請求項１０】
前記変更手段は、パケットが連続して受信されていると判定された場合に、前記タイムアウト時間を短くなるよう変更し、パケットが連続して受信されていないと判定された場合に、前記タイムアウト時間を長くなるよう変更する、
ことを特徴とする請求項９に記載の通信装置。
【請求項１１】
他の装置からパケットを受信するステップと、
所定の数のパケットが受信されたことに基づき、前記他の装置へ確認応答を送信するステップと、
パケットが連続して受信されているか否かを判定するステップと、
パケットが連続して受信されていると判定された場合の方が、パケットが連続して受信されていると判定されなかった場合より前記所定の数が大きくなるように前記所定の数を設定するステップと、
を備えることを特徴とする通信装置の制御方法。
【請求項１２】
コンピュータを、請求項１から１０のいずれか１項に記載の通信装置の各手段として機能させるためのプログラム。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
所定の時刻で撮像された画像から検出されたターゲットに対応する要注意度を、該ターゲットが検出された位置を示すマップに表示する表示手段と、
ユーザによる前記ターゲットに対する情報の入力に基づいて、前記ターゲットに対する前記要注意度を更新する更新手段と、を有し、
前記表示手段は、前記更新された前記要注意度に基づいて、前記マップの表示を変更することを特徴とする情報処理装置。
【請求項２】
前記更新手段は、前記ターゲットが要注意であるか否かを示すラベル情報に基づいて、前記ラベル情報が入力された前記ターゲットに対する前記要注意度を、前記ラベル情報が入力される前の前記ターゲットの前記要注意度よりも小さくするように前記要注意度を更新することを特徴とする請求項１に記載の情報処理装置。
【請求項３】
前記表示手段は、複数の時刻において撮像された画像から算出された前記要注意度を前記マップに表示し、
前記更新手段は、前記ラベル情報によって要注意であると示されたターゲットが出現した時刻に撮像された画像に基づいて、前記ターゲットが出現した位置の前記要注意度を、前記ターゲットが出現する前より大きくするように更新することを特徴とする請求項２に記載の情報処理装置。
【請求項４】
前記ターゲットに対する前記要注意度を、少なくとも１つ以上の注視要因に基づいて設定する設定手段を更に有することを特徴とする請求項１乃至３のいずれか１項に記載の情報処理装置。
【請求項５】
前記設定手段は、前記要注意度に対する前記注視要因の重み付けを変更するための前記情報を受け付けることを特徴とする請求項４に記載の情報処理装置。
【請求項６】
前記表示手段は、複数の前記ターゲットに対してそれぞれ前記要注意度を表示し、
前記設定手段は、前記複数のターゲットに対する前記要注意度のそれぞれについて、前記注視要因の重み付けを設定することを特徴とする請求項５に記載の情報処理装置。
【請求項７】
前記表示手段は、前記要注意度に対する前記注視要因の重み付けを設定するための設定画面を表示することを特徴とする請求項４乃至６のいずれか１項に記載の情報処理装置。
【請求項８】
前記設定手段は、前記情報が入力された前記ターゲットの前記要注意度と前記注視要因とに基づいて、前記要注意度に対する前記注視要因の重み付けを設定することを特徴とする請求項４に記載の情報処理装置。
【請求項９】
前記設定手段は、ユーザ操作の操作履歴に基づき前記注視要因の重み付けを推定し、設定することを特徴とする請求項８に記載の情報処理装置。
【請求項１０】
前記表示手段は、三次元時空間を示す前記マップとして表示することを特徴とする請求項１乃至９のいずれか１項に記載の情報処理装置。
【請求項１１】
前記表示手段は、複数の前記ターゲットのうち、対応する前記要注意度が高い順に前記ターゲットが検出された画像を更に表示することを特徴とする請求項１乃至１０のいずれか１項に記載の情報処理装置。
【請求項１２】
前記表示手段は、前記要注意度の等高線を、前記マップに表示することを特徴とする請求項１乃至１１のいずれか１項に記載の情報処理装置。
【請求項１３】
前記表示手段は、前記要注意度の等高線を、前記要注意度の分布に基づいて決定することを特徴とする請求項１２に記載の情報処理装置。
【請求項１４】
所定の時刻で撮像された画像から検出されたターゲットに対応する要注意度を、該ターゲットが検出された位置を示すマップに表示する表示工程と、
ユーザによる前記ターゲットに対する情報の入力に基づいて、前記ターゲットに対する前記要注意度を更新する更新工程と、を有し、
前記表示工程は、前記更新された前記要注意度に基づいて、前記マップの表示を変更することを特徴とする情報処理方法。
【請求項１５】
コンピュータを、請求項１乃至１３のいずれか１項に記載の情報処理装置の各手段として機能させるためのプログラム。
【手続補正２】
【補正対象書類名】明細書
【補正対象項目名】０００５
【補正方法】変更
【補正の内容】
【０００５】
本発明は、所定の時刻で撮像された画像から検出されたターゲットに対応する要注意度を、該ターゲットが検出された位置を示すマップに表示する表示手段と、ユーザによる前記ターゲットに対する情報の入力に基づいて、前記ターゲットに対する前記要注意度を更新する更新手段と、を有し、前記表示手段は、前記更新された前記要注意度に基づいて、前記マップの表示を変更することを特徴とする。